(57)【要約】【課題】チャンネルの切換えにより画面に表示されるテキストデータを消去することが可能なテレビジョン受信機の提供を目的とする。【解決手段】テレビジョン受信機１００は、緊急情報を示すテキストデータを付加されたテレビジョン放送信号をチューナ部１１で受信し、受信したテレビジョン放送信号を基に映像を表示する。テレビジョン受信機１００では、受信したテレビジョン放送信号からＴＳデコーダ部１２がテキストデータを分離して、サービス情報処理部１５に一次記憶する。その後、分離されたテキストデータは多重化処理部１６によって映像データに多重され、ディスプレイモジュール３０に出力される。また、制御部２１はテキストデータ表示切換えプログラム３０２に従って、チャンネルが切換えられた際、切換えによって表示される映像データにアラームテキストを表示しないよう多重化処理部１６に指示を出す。【選択図】図１
2008306628.tif 000002
【特許請求の範囲】
【請求項１】
緊急情報を示すテキストデータを付加されたテレビジョン放送信号を受信して、前記受信したテレビジョン放送信号を基に映像を表示するテレビジョン受信機において、
受信したテレビジョン放送信号からテキストデータを分離するテキストデータ分離手段と、
分離された上記テキストデータを映像データに多重する多重手段と、
チャンネルが切換えられた際、切換えによって表示される映像データに上記テキストデータを表示しないよう上記多重手段に指示を出すテキストデータ表示切換え手段とを有することを特徴とするテレビジョン受信機。
【請求項２】
上記テキストデータは、ＥＡＳ（Emergency-Alert System)で表示されるアラームテキストであることを特徴とする請求項１に記載のテレビジョン受信機。
【請求項３】
上記テキストデータ表示切換え手段は、不揮発性記憶媒体に記憶されたプログラムにより処理を行なうコンピュータであることを特徴とする請求項１または請求項２に記載のテレビジョン受信機。
【請求項４】
上記テキストデータは、ＥＡＳ（Emergency-Alert System)で表示されるアラームテキストであって、
上記テキストデータ表示切換え手段は、不揮発性記憶媒体に記憶されたプログラムにより処理を行なうコンピュータであって、
上記コンピュータは、チャンネルが切換えられたことを示す制御信号を受信すると、切換えによって表示される映像データに上記アラームテキストを表示しないよう上記多重手段に指示を出すことを特徴とする請求項１に記載のテレビジョン受信機。
【発明の詳細な説明】
【技術分野】
【０００１】
本発明は、テキストデータが付加されたテレビジョン放送信号を受信するテレビジョン受信機において、特に、上記テキストデータを映像データに多重させて表示するテレビジョン受信機に関するものである。
【背景技術】
【０００２】
従来、映像データにテキストデータを多重させて表示する技術が知られている。ここで、テキストデータとは主に文字情報によって構成されたデータである。テキストデータを映像データに多重することにより、映像の一部に文字情報が表示され、視聴者に文字による情報を提示することができる。このような技術として、米国規格協会（American National Standards Institute :ANSI）J-STD042のEmergency Alert Formatに従ったＥＡＳ（Emergency Alert System）が知られている。
【０００３】
テキストデータは、テレビジョン放送信号を構成するトランスポートストリームに多重化された状態で受信される。受信されたテキストデータは、テレビジョン受信機内で映像データから分離された後、映像データと多重されて画面に表示される。このような、テキストデータを画面に表示した場合、表示されたテキストデータが視聴の邪魔となる場合がある。つまり、放送される映像と関連をを持たずに画面の一部に表示されるため、映像の一部を隠すなどして、視聴を妨げる場合があった。
【０００４】
そのため、多重されたテキストデータを、操作キーを押圧して出力する消去指示により消去する技術が開示されている（例えば、特許文献１参照。）。
このような技術では消去指示を出すことにより、いつでもテキストデータを画面上から消去することができる。
【０００５】
また、受信したテキストデータを画面上に出すのではなく、テキストデータを受信したことのみを画面で表示し、テキストデータを記録しておく技術が開示されている（例えば、特許文献２参照。）。
このような技術では、記録されたテキストデータを後から一度に表示させることがで、視聴の邪魔となることを防止することができる。
【特許文献１】特開２００２−３７４２１９号公報
【特許文献２】特開２００６−１８３９６３号公報
【発明の開示】
【発明が解決しようとする課題】
【０００６】
上述した特許文献１及び特許文献２の発明は、次のような課題があった。つまり、テキストデータを消去するために消去指示を出す必要があった。通常、テキストデータが画面上に表示されている場合、チャンネルを切換えることで対応してしまうことが多く、わざわざ消去指示を出すのはユーザとって煩雑であった。
さらに、切換えたチャンネルを放送する放送局が、テキストデータを送信していない場合、消去指示を出さなければ、切換える前のチャンネルを放送する放送局が送信したテキストデータがそのまま表示されることとなる。このため、場合によっては、意味のないテキストデータが表示され続けることとなる。
【０００７】
本発明は、上記課題にかんがみてなされたもので、チャンネルの切換えにより画面に表示されるテキストデータを消去することが可能なテレビジョン受信機の提供を目的とする。
【課題を解決するための手段】
【０００８】
上記課題を解決するために、本発明の請求項１にかかる発明では、緊急情報を示すテキストデータを付加されたテレビジョン放送信号を受信して、前記受信したテレビジョン放送信号を基に映像を表示するテレビジョン受信機において、受信したテレビジョン放送信号からテキストデータを分離するテキストデータ分離手段と、分離された上記テキストデータを映像データに多重する多重手段と、チャンネルが切換えられた際、切換えによって表示される映像データに上記テキストデータを表示しないよう上記多重手段に指示を出すテキストデータ表示切換え手段とを有する構成としてある。
【０００９】
上記のように構成した発明では、テキストデータ分離手段が受信したテレビジョン放送信号からテキストデータを分離し、多重手段が分離された上記テキストデータを映像データに多重する。さらに、チャンネルが切換えられた際、切換えによって表示される映像データに上記テキストデータを表示しないようテキストデータ表示切換え手段が上記多重手段に指示を出す。
これにより、チャンネルが切換えられるごとに、画面上に表示されたテキストデータが消去される。そのため、チャンネルの切換えにより画面に表示されるテキストデータを非表示とすることができる。
【００１０】
また、緊急情報を示すテキストデータの具体的な一例として様々なものが存在する。そこで、本発明では、上記テキストデータは、ＥＡＳ（Emergency-Alert System)で表示されるアラームテキストである構成としてある。
上記のように構成された発明では、ＥＡＳで表示されるアラームテキストが表示され、チャンネルが切換えられると、テキストデータを非表示にする。
【００１１】
さらに、テキストデータ表示切換え手段の具体的な構成として、本発明では、上記テキストデータ表示切換え手段は、不揮発性記憶媒体に記憶されたプログラムにより処理を行なうコンピュータである構成としてある。
つまり、プログラムにより処理を実行するコンピュータによりテキストデータの表示を制御することにより、本発明の機能をより簡易に実現させることができる。
【００１２】
また、本発明の具体的な構成として、上記テキストデータは、ＥＡＳ（Emergency-Alert System)で表示されるアラームテキストであって、上記テキストデータ表示切換え手段は、不揮発性記憶媒体に記憶されたプログラムにより処理を行なうコンピュータであって、上記コンピュータは、チャンネルが切換えられたことを示す制御信号を受信すると、切換えによって表示される映像データに上記アラームテキストを表示しないよう上記多重手段に指示を出す構成としてある。
【発明の効果】
【００１３】
以上説明したように本発明によれば、チャンネルの切換えにより画面に表示されるテキストデータを非表示とすることができる。
また請求項２にかかる発明によれば、ＥＡＳで表示されるアラームテキストに対して応用することができる。
そして請求項３にかかる発明によれば、プログラムによる構成により簡易に本発明を実現することが可能となる。
さらに請求項４のような、より具体的な構成において、上述した請求項１〜請求項３の各発明と同様の作用を奏することはいうまでもない。
【発明を実施するための最良の形態】
【００１４】
以下、下記の順序に従って本発明の実施形態を説明する。
（１）テレビジョン受信機の構成
（２）テレビジョン受信機の作用・効果
（３）まとめ
【００１５】
（１）テレビジョン受信機の構成 
本発明に係るテレビジョン受信機１００は、緊急情報を示すテキストデータを付加されたテレビジョン放送信号をチューナ部で受信し、受信したテレビジョン放送信号を基に映像を表示する。また、テレビジョン受信機では、受信したテレビジョン放送信号からＴＳデコーダ部（テキストデータ分離手段）がテキストデータを分離して、サービス情報処理部に一次記憶する。分離されたテキストデータは、多重化処理部（多重手段）によって映像データに多重され、ディスプレイモジュールに出力される。また、本発明に係るテレビジョン受信機では、チャンネルが切換えられた際、制御部（テキストデータ表示切換え手段）がテキストデータ表示切換えプログラムに従って、切換えによって表示される映像データにテキストデータを表示しないよう多重化処理部に指示を出す。これにより、画面にテキストデータが表示された場合でも、チャンネルを切換えることでテキストデータを非表示とすることができる。
【００１６】
図１に示すように、本発明に係るテレビジョン受信機１００は、受像機９０と、リモコン装置８０とから構成されている。受像機９０は、アンテナ２００あるいはケーブルから受信したデジタルテレビジョン放送信号（以下ＤＴＶ信号）に対して復調処理や誤り訂正処理等を施すチューナ部１１と、復調されたＤＴＶ信号から映像データ、音声データ、及び付加情報とを取得するトランスポートストリームデコーダ１２と、取得された音声データに信号処理を施す音声デコーダ１３と、取得された映像データに信号処理を施す映像デコーダ１４と、取得された付加情報に所定の処理を施すサービス情報処理部１５と、付加情報と映像データとを多重する多重化処理部１６と、テレビジョン受信機１００の駆動を制御する制御部２０と、映像を表示するためのディスプレイモジュール３０、音声を出力するための音声出力部４０と、リモコン装置８０から制御信号を受信するリモコン受信部１７と、ＯＳＤ画像を表示するためのＯＳＤ回路５０とから構成されている。
【００１７】
本テレビジョン受信機は、ＤＴＶ信号を受信して、テキストデータが多重された映像を表示する。リモコン装置８０を操作して選局操作を行なうと、制御部２０は、チューナ部１１にアンテナ２００が受信したＤＴＶ信号から選局されたチャンネルに対応するＤＴＶ信号を復調し、その後誤り訂正する。チューナ部１１が復調したＤＴＶ信号は、各種データを有したパケットを有するトランスポートストリームを構成している。復調されたＤＴＶ信号は、トランスポートストリームデコーダ（以下、ＴＳデコーダと呼ぶ）１２に供給される。ＴＳデコーダ１２は、このトランスポートストリームから、目的とする番組のパケット単位のデータを抽出し、映像パケット、音声パケット、及び受信する放送に関した情報を有する情報データに分離して出力する。映像パケット、音声パケット、及び情報データは、それぞれ後述する映像デコーダ１４、音声デコーダ１３、及びサービス情報処理部１５に供給される。
【００１８】
映像デコーダ１４は、供給された映像パケットからＭＰＥＧ（Motion Pictures Expert Group）−２方式などに基づき圧縮符号化された符号化映像データを抽出する。さらに、映像デコーダ１４は、抽出した符号化映像データに対して伸張処理などを施し、映像データを復元する。音声デコーダ１３は、供給された音声パケットをデコード処理し、これにより音声データを復元する。
【００１９】
サービス情報処理部１５は情報データを取得し、取得した情報データから各種情報を取り出す。情報データは、番組や受信に関連する情報を有しており、テレビジョン受信機１００は、これらの情報を利用して番組の受信動作や、番組のサービス情報の提供等を行なう。このサービス情報には、各々の番組のチャンネル番号、放送開始時刻、終了時刻、タイトル名、ジャンル、映像データに関連する関連情報としての字幕情報、視聴制限を行なうためのパレンタル情報等、さらにはＥＡＳ（Emergent-Alert System）情報が含まれている。なお、ＥＡＳとは、竜巻等の緊急情報をテレビジョン放送信号に多重して送信するサービスのことである。サービス情報処理部１５は、ＴＳデコーダ１２で分離された情報データからサービス情報データを抽出し、図示しないメモリなどに記憶して管理する。
【００２０】
多重化処理部１６は、映像デコーダ１４から供給される映像信号の水平期間にアラームテキストを多重する。アラームテキストとは、ＥＡＳ情報に含まれる所定の文字情報を記録したテキストファイルである。多重化処理部１６は、後述する制御部２０が記録するプログラムに従って、映像データにアラームテキストを多重させる。その後、多重化処理部１６は、アラームテキストが多重された映像信号をディスプレイモジュール３０に出力する。ディスプレイモジュール３０は、映像データをディジタル／アナログ変換して駆動電圧を生成し、画面を駆動する。このようにして、テレビジョン受信機１００は、アラームテキストを多重した映像信号に基づいて、映像を表示していく。
【００２１】
制御部２０は、テレビジョン受信機１００の駆動の制御の他、多重化処理部１６によるアラームテキストの表示の有無を制御する。制御部２０は、演算中枢としてのＣＰＵ２１と、各種プログラムが記憶されたマスクＲＯＭ２３と、書き換え可能なデータベースが記憶されたＥＥＰＲＯＭ２４と、ＣＰＵ２１がデータベースやプログラムを展開するＲＡＭ２２とから構成されている。マスクＲＯＭ２３には、ＣＰＵ２１がテレビジョン受信機１００の駆動を制御するための制御プログラム３００と、アラームテキストを表示するためのＥＡＳ情報表示プログラム３０１と、多重化処理部１６に入力された映像データにアラームテキストを多重するか否かの制御を行なうテキスト表示切換えプログラム３０２とが記憶されている。ＥＥＰＲＯＭ２４には、処理が実行される際、参照される各種パラメータ４００が記憶されている。
【００２２】
ＥＡＳ情報表示プログラム３０１は、多重化処理部１６に入力された映像データにアラームテキストを多重させるためのプログラムである。ＥＡＳ情報がＤＴＶ信号から分離されて、サービス情報処理部１５に入力されると、ＣＰＵ２１はマスクＲＯＭ２３に記憶されたＥＡＳ情報表示プログラム３０１を読み出し、ＲＡＭ２２に展開する。ＣＰＵ２１は、展開されたＥＡＳ情報表示プログラム３０１に従って、アラームテキストを映像データに多重させていく。
【００２３】
図２は、ＥＡＳ情報表示プログラム３０１を表すフローチャートである。まず、ＣＰＵ２１は、サービス情報処理部１５にＥＡＳ情報が入力されたか否かを判断する（ステップＳ１００）。ＥＡＳ情報が入力された場合は、ＣＰＵ２１は入力されたＥＡＳ情報が新たな情報であるかを判断する（ステップＳ１１０）。ＣＰＵ２１が入力されたＥＡＳ情報が新しいと判断した場合は、ＥＡＳ情報の表示方法がチャンネルを強制的に切換えるものか、アラームテキストを表示するものかを判断する（ステップＳ１２０）。ここで、ＥＡＳ情報の表示がチャンネルを強制的に切換えるものである場合は、ＣＰＵ２１は、指定されたチャンネルに切換えるようチューナ部１１に指示し（ステップＳ１８０）、その後数秒間に渡り切換えられたチャンネルを表示する（ステップＳ１９０〜２２０）。また、ＥＡＳ情報の表示方法がアラームテキストを表示するものである場合は、ＣＰＵ２１はサービス情報処理部１５に記憶されたアラームテキスト情報を多重化処理部１６に出力させるステップＳ１３０）。これにより、アラームテキストが映像データに多重される。その後、ＣＰＵ２１は、アラームテキストを表示する時間をＥＥＰＲＯＭから読み出す（ステップＳ１４０）。さらに、ＣＰＵ２１は、取得した表示時間までカウントを行なう（ステップＳ１５０）。そして、ＣＰＵ２１は取得した表示時間までのカウントが終了すると（ステップＳ１６０）、サービス情報処理部１５にアラームテキスト情報を多重化処理部１６に出力しないよう指示を出すステップＳ１７０）。上記した一連の流れにより画面にはアラームテキストが多重された映像が表示される。
【００２４】
テキスト表示切換えプログラム３０２は、チャンネルが切換えられた際に、ＣＰＵ２１がアラームテキストを映像データに多重しないよう多重化処理部１６に指示するためのものである。リモコン装置８０のチャンネルキー８１を操作してチャンネルが切換えられると、リモコン受信部１７からチャンネル切換え信号がＣＰＵ２１に出力される。このとき、上記したＥＡＳ情報表示プログラム３０１が実行されている場合は、マスクＲＯＭ２２に記憶されたテキスト表示切換えプログラム３０２を読み出し、割り込みによりテキスト表示切換えプログラム３０２を実行する。
【００２５】
図３は、テキスト表示切換えプログラム３０２のフローチャートである。まず、ＣＰＵ２１はＥＡＳ情報の表示方法がチャンネルを強制的に切換えるものか、アラームテキストを表示するものかを判断する（ステップＳ３００）。ここで、アラームテキストを表示するものである場合は、ＣＰＵ２１はサービス情報処理部１５にアラームテキストを多重化処理部１６に出力しないよう指示を出す（ステップＳ３１０）。その後ＣＰＵ２１は、割り込みを解除し、ＥＡＳ情報表示プログラム３０１に戻る。上述した一連のフローにより、チャンネルが切換えられた際、ＣＰＵ２１はアラートテキストを非表示とする。
【００２６】
（２）テレビジョン受信機の作用・効果
以下、図４を基に本発明に係るテレビジョン受信機１００の作用及び効果を説明する。  今、テレビジョン受信機１００に映像を表示させた状態で、チューナ部１１がＥＡＳ情報を多重したＤＴＶ信号を受信したものとする。すると、図４（ａ）に示すように画面上部に、アラームテキストが表示される。ここで、アラームテキストにより文字情報「Emergency Arert」が表示されている。この状態で、リモコン装置８０のチャンネルキーを操作してチャンネルを切換えると、図４（ｂ）に示すように、画面上部に表示されていたアラームテキストが表示されなくなる。つまり、チャンネルを切換えたことで、次画面ではアラームテキストが非表示となる。このため、ユーザはわざわざリモコン装置８０等で消去指示を出す必要がなくなる。さらに、切換えたチャンネルを放送する放送局が、テキストデータを送信していない場合、切換える前の放送局が送信したアラームテキストがそのまま表示されることがないため、意味のないアラームテキストを表示し続けることを防止することができる。
【００２７】
（３）まとめ
本発明に係るテレビジョン受信機１００は、緊急情報を示すテキストデータを付加されたテレビジョン放送信号をチューナ部で受信し、受信したテレビジョン放送信号を基に映像を表示する。テレビジョン受信機１００では、受信したテレビジョン放送信号からＴＳデコーダ部がテキストデータを分離して、サービス情報処理部に一次記憶する。その後、分離されたテキストデータは多重化処理部によって映像データに多重され、ディスプレイモジュール３０に出力される。また、テレビジョン受信機では、制御部２０がテキストデータ表示切換えプログラムに従って、チャンネルが切換えられた際、切換えによって表示される映像データにアラームテキストを表示しないよう多重化処理部１６に指示を出す。これにより、画面にテキストデータが表示された場合でも、チャンネルを切換えることでアラームテキストを非表示とすることができる。
【００２８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００２９】
【図１】本発明に係るテレビジョン受信機のブロック構成図である。
【図２】ＥＡＳ情報表示プログラムを表すフローチャートである。
【図３】テキストデータ表示切換えプログラムを表すフローチャートである。
【図４】一例としての画面に表示されたアラームテキストを多重した映像である。
【符号の説明】
【００３０】
１１…チューナ部、１２…トランスポートストリームデコーダ（ＴＳデコーダ）、１３…音声デコーダ、１４…映像デコーダ、１５…サービス情報処理部、１６…多重化処理部、１７…リモコン受信部、２０…制御部、２１…ＣＰＵ、２２…ＲＡＭ、２３…マスクＲＯＭ、２４…ＥＥＰＲＯＭ、３０…ディスプレイモジュール、４０…音声出力部、５０…ＯＳＤ回路、８０…リモコン装置、８１…チャンネルキー、９０…受像機、１００…テレビジョン受信機、２００…アンテナ、３００…制御プログラム、３０１…ＥＡＳ情報表示プログラム、３０２…テキスト表示切換えプログラム
【図１】
2008306628.tif 000003
【図２】
2008306628.tif 000004
【図３】
2008306628.tif 000005
【図４】
2008306628.tif 000006